(57)【要約】【課題】  基材の機械的強度を弱くすることなく、音声情報記録／再生手段に設けられた接続端子を介して、外部から音声情報を入力したり、記録された音声情報を外部に出力したりする。【解決手段】  音声情報記録／再生部３０を挟み込んで支持する支持シート２０ｂに、音声情報記録／再生部３０に対して音声情報を入出力するための接続端子３５を支持し、他の領域に対して独立して折り畳み／見開き可能に構成されることにより、見開き状態にて接続端子３５を表出させる可動部２６を設ける。【選択図】図１
2006175663.tif 000002
【特許請求の範囲】
【請求項１】
シート状に構成され、音声情報を記録、再生可能な音声情報記録／再生手段と、該音声情報記録／再生手段を挟み込んで支持する支持シートとを少なくとも有し、前記音声情報記録／再生手段に、音声情報を入出力するための接続端子が設けられてなる音声メッセージ伝達シートにおいて、
前記支持シートは、前記接続端子を支持し、他の領域に対して独立して折り畳み／見開き可能に構成されることにより、見開き状態にて前記接続端子を表出させる可動部を有することを特徴とする音声メッセージ伝達シート。
【請求項２】
シート状に構成され、音声情報を記録、再生可能な音声情報記録／再生手段と、該音声情報記録／再生手段を挟み込んで支持する支持シートとを少なくとも有し、前記音声情報記録／再生手段に、音声情報の入力あるいは出力を行う場合に操作する操作部が設けられてなる音声メッセージ伝達シートにおいて、
前記支持シートは、前記操作部に接続されるための導通部を支持し、他の領域に対して独立して折り畳み／見開き可能に構成されることにより、折り畳み状態においてのみ前記操作部に対する操作による音声情報の入力あるいは出力を有効とする可動部を有することを特徴とする音声メッセージ伝達シート。
【請求項３】
請求項１または請求項２に記載の音声メッセージ伝達シートにおいて、
前記支持シートは、折り畳まれることによって前記音声情報記録／再生手段を挟み込み、該音声情報記録／再生手段を挟み込むための折り畳み線と、前記可動部の折り畳み線とが同一線上にあることを特徴とする音声メッセージ伝達シート。
【請求項４】
請求項１乃至３のいずれか１項に記載の音声メッセージ伝達シートにおいて、
前記支持シートを挟み込んで該支持シートと接着された２枚の表面シートを有し、
該２枚の表面シートのうち少なくとも一方は、前記支持シートに対して、剥離及び再貼着が可能に接着されていることを特徴とする音声メッセージ伝達シート。
【発明の詳細な説明】
【技術分野】
【０００１】
本発明は、音声情報の記録及び再生が可能な音声メッセージ伝達シートに関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、宛先情報等が印刷されるダイレクトメール本体上に、音声情報の記録及び再生が可能な音声装置を搭載、貼付することにより、ダイレクトメールに音声装置を組み込み、それにより、メッセージを音声によって伝達することができるように構成された情報所持体が考えられている（例えば、特許文献１参照。）。
【特許文献１】特開平１１−７０７７０号公報
【発明の開示】
【発明が解決しようとする課題】
【０００６】
しかしながら、上述したような音声装置が組み込まれてなる情報所持体においては、宛先情報等が印刷されるダイレクトメール本体上に音声装置が搭載、貼付されてなる構成であるため、音声装置が貼付された領域の厚さが厚くなり、音声装置が組み込まれた状態で宛先情報等を印刷することができないという問題点がある。そのため、上述したような情報所持体においては、ダイレクトメール本体に宛先情報等が印刷された後に音声装置がダイレクトメール本体に搭載、貼付されている。
【０００７】
また、ダイレクトメール本体上に音声装置が搭載、貼付され、かつ、その領域の厚さが厚くなっているため、ダイレクトメールが折り曲げられたり、この領域に外力が加わったりした場合に音声装置がダイレクトメール本体から剥がれてしまう虞れがある。また、ダイレクトメールを二つ折りやＺ折り等に折り畳む場合、音声装置が搭載された領域を避けて折り畳まなければならず、音声装置が搭載される領域あるいは折り畳む際の折り線となる領域が限定されてしまうという問題点がある。
【０００８】
そこで、本出願人は、シート状に構成され、音声情報を記録、再生可能な音声情報記録／再生手段が２枚の支持シート及び表面シート間に組み込まれてなる音声メッセージ伝達シートを発明し、既に出願している。この音声メッセージ伝達シートにおいては、シート状の音声情報記録／再生手段が、その一部の領域のみにおいて２枚の支持シートに表裏から挟み込まれ、さらにその２枚の支持シートを挟み込むように２枚の表面シートが２枚の支持シートにそれぞれ接着されて構成されている。このような構成とすることにより、音声情報記録／再生手段が内部に組み込まれながらも、音声情報記録／再生手段が組み込まれた領域とその他の領域との厚さの差が小さくなり、表面シートへの印刷を可能とすることができる。
【０００９】
ここで、上述した音声メッセージ伝達シートに組み込まれる音声情報記録／再生手段は、外部から音声情報を入力したり、記録された音声情報を外部に出力したりするための接続端子が音声メッセージ伝達シートの側面に設けられているが、その接続端子を用いて音声情報を入出力するためには、接続端子を外部に露出しておくか、あるいは音声メッセージ伝達シートの側面に接続端子に接続するための穴を形成しておく必要があり、いずれの場合も接続端子が外部に晒され、劣化や断線あるいは短絡が生じてしまう虞れがある。さらに、音声メッセージ伝達シートの側面に接続端子に接続するための穴を形成しておくものにおいては、穴が形成されているものの接続端子への接続が容易であるとは言い難く、かつ、接続端子が設けられた部分の機械的強度が弱いという問題点がある。
【００１０】
また、スピーカ兼マイクとなる部材を介して音声情報を入力する場合に押下する録音ボタンと、記録された音声情報をスピーカ兼マイクとなる部材を介して出力する際に押下する再生ボタンとが設けられているが、搬送されている状態にて再生ボタンが押下され、記録された音声情報が聞かれてしまったり、録音ボタンが押下され、記録された音声情報が上書きされて消去されてしまったりする虞れがある。そこで、再生ボタンや録音ボタンの操作を無効とするような部材を、２枚の支持シートに挟み込むように音声情報記録／再生手段に取り外し可能に装着しておき、音声メッセージ伝達シートの送付途中においては、再生ボタンや録音ボタンの操作を無効とし、音声メッセージ伝達シートの送付先にてこの部材が取り外された場合に再生ボタンや録音ボタンの操作を有効とすることが考えられる。
【００１１】
しかしながら、このように、再生ボタンや録音ボタンの操作を無効とするような部材を、２枚の支持シートに挟み込むように音声情報記録／再生手段に取り外し可能に装着しておくものにおいては、その部材が取り外された場合、その部分に部材が装着されていた穴が残存し、上記同様に機械的強度が弱くなってしまうという問題点がある。
【００１２】
本発明は、上述したような従来の技術が有する問題点に鑑みてなされたものであって、基材の機械的強度を弱くすることなく、音声情報記録／再生手段に設けられた接続端子を介して、外部から音声情報を入力したり、記録された音声情報を外部に出力したりすることができ、かつ、接続端子の劣化や断線あるいは短絡を防止することができる音声メッセージ伝達シートを提供することを目的とする。
【００１３】
また、基材の機械的強度を弱くすることなく、外部から操作可能なスイッチの有効／無効を制御することができる音声メッセージ伝達シートを提供することを目的とする。
【課題を解決するための手段】
【００１４】
上記目的を達成するために本発明は、
シート状に構成され、音声情報を記録、再生可能な音声情報記録／再生手段と、該音声情報記録／再生手段を挟み込んで支持する支持シートとを少なくとも有し、前記音声情報記録／再生手段に、音声情報を入出力するための接続端子が設けられてなる音声メッセージ伝達シートにおいて、
前記支持シートは、前記接続端子を支持し、他の領域に対して独立して折り畳み／見開き可能に構成されることにより、見開き状態にて前記接続端子を表出させる可動部を有することを特徴とする。
【００１５】
上記のように構成された本発明においては、可動部が折り畳まれた状態では、音声情報記録／再生手段に設けられた接続端子が表出しておらず、この接続端子を介して音声情報を入力あるいは出力する場合、可動部を見開くと接続端子が表出し、この状態で接続端子を介して音声情報を入力したり出力したりする。
【００１６】
また、シート状に構成され、音声情報を記録、再生可能な音声情報記録／再生手段と、該音声情報記録／再生手段を挟み込んで支持する支持シートとを少なくとも有し、前記音声情報記録／再生手段に、音声情報の入力あるいは出力を行う場合に操作する操作部が設けられてなる音声メッセージ伝達シートにおいて、
前記支持シートは、前記操作部に接続されるための導通部を支持し、他の領域に対して独立して折り畳み／見開き可能に構成されることにより、折り畳み状態においてのみ前記操作部に対する操作による音声情報の入力あるいは出力を有効とする可動部を有することを特徴とする。
【００１７】
上記のように構成された本発明においては、可動部が見開かれた状態では、可動部によって支持される導通部と、音声情報記録／再生手段に設けられた操作部とが接続されておらず、それにより、操作部を操作しても音声情報が入力されたり出力されたりすることはなく、また、可動部が折り畳まれた状態では、可動部によって支持される導通部と操作部とが接続され、それにより、操作部が操作された場合に音声情報が入力されたり出力されたりする。
【００１８】
また、前記支持シートは、折り畳まれることによって前記音声情報記録／再生手段を挟み込み、該音声情報記録／再生手段を挟み込むための折り畳み線と、前記可動部の折り畳み線とが同一線上にあることを特徴とする。
【００１９】
また、前記支持シートを挟み込んで該支持シートと接着された２枚の表面シートを有し、
該２枚の表面シートのうち少なくとも一方は、前記支持シートに対して、剥離及び再貼着が可能に接着されていることを特徴とする。
【発明の効果】
【００２０】
以上説明したように本発明においては、音声情報を記録、再生可能な音声情報記録／再生手段を挟み込んで支持する支持シートに、音声情報記録／再生手段に対して音声情報を入出力するための接続端子を支持し、他の領域に対して独立して折り畳み／見開き可能に構成されることにより、見開き状態にて接続端子を表出させる可動部を設けたため、可動部を折り畳んでおけば接続端子が表出せず、また、可動部を見開けば接続端子への接続が容易となり、それにより、基材の機械的強度を弱くすることなく、音声情報記録／再生手段に設けられた接続端子を介して、外部から音声情報を入力したり、記録された音声情報を外部に出力したりすることができる。また、接続端子を介して音声情報を入力あるいは出力しない場合は、可動部を折り畳んでおけば接続端子が表出せず、それにより、接続端子の劣化や断線あるいは短絡を防止することができる。
【００２１】
また、支持シートに、音声情報記録／再生手段に対して音声情報の入力あるいは出力を行う場合に操作する操作部に接続されるための導通部を支持し、他の領域に対して独立して折り畳み／見開き可能に構成されることにより、折り畳み状態においてのみ操作部に対する操作による音声情報の入力あるいは出力を有効とする可動部を設けたものにおいては、操作部への操作を無効とするような部材を設ける必要はなく、それにより、基材の機械的強度を弱くすることなく、外部から操作可能なスイッチの有効／無効を制御することができる。
【００２２】
また、折り畳まれることによって音声情報記録／再生手段を挟み込み、音声情報記録／再生手段を挟み込むための折り畳み線と、可動部の折り畳み線とが同一線上にあるものにおいては、支持シートが見開かれた場合に可動部が突出することがなくなり、それにより、音声メッセージ伝達シートの製造時において、製造装置における処理が複雑となることを防止できる。
【発明を実施するための最良の形態】
【００２３】
以下に、本発明の実施の形態について図面を参照して説明する。
【００２４】
（第１の実施の形態）
図１は、本発明の音声メッセージ伝達シートの第１の実施の形態を示す図であり、（ａ）は表面から見た図、（ｂ）は内部構造を示す図、（ｃ）は（ａ）に示したＡ−Ａ’断面図である。また、図２は、図１に示した音声メッセージ伝達シート１の積層状態を示す図である。また、図３は、図２に示した支持シート２０ａ，２０ｂの構成を示す図であり、（ａ）はその構成を示す図、（ｂ）は図１及び図２に示した音声情報記録／再生部３０を挟み込む際の状態を示す図である。
【００２５】
本形態は図１及び図２に示すように、音声情報の記録及び再生が可能なシート状の音声情報記録／再生部３０が、紙基材等の柔軟性を有し、かつ薄型の基材からなり、折り線２５を介して連接してなる２片の支持シート２０ａ，２０ｂに挟まれ、また、音声情報記録／再生部３０が挟まれた支持シート２０ａ，２０ｂが、紙基材等の柔軟性を有し、かつ薄型の基材からなる２枚の表面シート１０ａ，１０ｂに挟まれて構成されている。なお、２片の支持シート２０ａ，２０ｂ及び音声情報記録／再生部３０は、支持シート２０ａ，２０ｂの対向する面に塗布された粘着剤６１によって互いに接着されており、また、表面シート１０ａ，１０ｂと支持シート２０ａ，２０ｂとは、支持シート２０ａ，２０ｂの表面シート１０ａ，１０ｂと対向する面に塗布された粘着剤６０ａ，６０ｂによってそれぞれ互いに接着されている。また、表面シート１０ａの支持シート２０ａと対向する面の全面には、シリコン等からなる剥離剤５０が塗布されており、この剥離剤５０と支持シート２０ａに塗布された粘着剤６０ａとによって、表面シート１０ａと支持シート２０ａとが、剥離及び再貼着可能に接着されている。
【００２６】
また、音声情報記録／再生部３０は、ピエゾ素子４１、振動板４２及び後述するフィルムシートからなりシート状に構成されて音声情報を入出力するための音声情報入出力部４０と、音声情報入出力部４０を介して入力された音声情報が記録されるメモリ領域を具備する薄型のＩＣチップ３４やコンデンサ、抵抗等の回路素子、並びにスイッチ３３ａ，３３ｂが搭載された音声基板３２と、音声基板３２に電源を供給するための柔軟性を有してなるペーパー電池３１と、ペーパー電池３１を音声基板３２に電気的に接続するための電池接続部材３６とから構成されており、さらに、音声基板３２には、外部からＩＣチップ３４に音声情報を入力したり、ＩＣチップ３４に記録された音声情報を外部に出力したりするための接続端子３５が設けられている。これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。また、電池接続部材３６は、ペーパー電池３１の正極と負極とに接続されており、音声基板３２上に設けられたパターン（不図示）上に搭載され、例えば、ボタン形状等の接合手段（不図示）によってこのパターンと接合されることにより、音声基板３２とペーパー電池３１とを電気的に接続する。
【００２７】
また、支持シート２０ａにおいては、音声情報記録／再生部３０と積層された場合に、ペーパー電池３１及び電池接続部材３６、スイッチ３３ａ，３３ｂ、ＩＣチップ３４、並びに音声情報入出力部４０と対向する領域に穴２１ａ，２２，２３，２４ａがそれぞれ形成されており、また、支持シート２０ｂにおいては、音声情報記録／再生部３０と積層された場合に、ペーパー電池３１及び電池接続部材３６、並びに音声情報入出力部４０と対向する領域に穴２１ｂ，２４ｂがそれぞれ形成されている。
【００２８】
このように、支持シート２０ａの、ペーパー電池３１及び電池接続部材３６、スイッチ３３ａ，３３ｂ、ＩＣチップ３４、並びに音声情報入出力部４０と対向する領域に穴２１ａ，２２，２３，２４ａがそれぞれ形成され、また、支持シート２０ｂの、ペーパー電池３１及び電池接続部材３６、並びに音声情報入出力部４０と対向する領域に穴２１ｂ，２４ｂがそれぞれ形成されることにより、ペーパー電池３１及び電池接続部材３６、スイッチ３３ａ，３３ｂ、ＩＣチップ３４、並びに音声情報入出力部４０が設けられている領域と他の領域とで厚さの差が小さくなり、それにより、表面シート１０ａ，１０ｂを容易に貼付、剥離することができるとともに、表面シート１０ａ，１０ｂの貼付後の平坦性が向上し、表面シート１０ａ，１０ｂ上に情報を容易に印刷することができるようになる。
【００２９】
さらに、本形態においては、支持シート２０ｂに、支持シート２０ｂと音声情報記録／再生部３０とが積層された場合に、音声情報記録／再生部３０の接続端子３５が設けられた部分が搭載されて接着される可動部２６が設けられている。この可動部２６は、音声情報記録／再生部３０の接続端子３５が設けられた部分と接着されることにより、接続端子３５を支持し、支持シート２０ｂの端部を折り線２８として、支持シート２０ｂの他の領域に対して独立して折り畳み／見開きが可能に構成されている。この可動部２６においても、支持シート２０ｂと音声情報記録／再生部３０とは粘着剤６１によって接着されているが、可動部２６の全面に音声情報記録／再生部３０の音声基板３２が接着されているため、可動部２６には粘着剤６１が表出していない。そのため、可動部２６が折り線２８を介して折り畳まれた場合であっても可動部２６が支持シート２０ｂの他の領域と接着されてしまうことはない。また、支持シート２０ａには、可動部２６が折り線２８を介して折り畳まれた状態で、支持シート２０ａ，２０ｂが折り線２５を介して折り畳まれた場合に可動部２６が入り込むような切り欠き２７が形成されている。
【００３０】
図４は、図１〜図３に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００３１】
図４（ａ）に示すように、支持シート２０ａのペーパー電池３１及び電池接続部材３６と対向する領域に形成された穴２１ａはペーパー電池３１及び電池接続部材３６よりも大きく、また、スイッチ３３ａ，３３ｂと対向する領域に形成された穴２２はスイッチ３３ａ，３３ｂを含むように、また、ＩＣチップ３４と対向する領域に形成された穴２３はＩＣチップ３４よりも大きく、また、音声情報入出力部４０と対向する領域に形成された穴２４ａは音声情報入出力部４０よりも大きくなっている。
【００３２】
また、図４（ｂ）に示すように、支持シート２０ｂのペーパー電池３１及び電池接続部材３６と対向する領域に形成された穴２１ｂはペーパー電池３１よりも大きく、また、音声情報入出力部４０と対向する領域に形成された穴２４ｂは音声情報入出力部４０よりも小さくなっている。また、接続端子３５と対向する領域には上述したように可動部２６が設けられている。
【００３３】
これにより、音声情報記録／再生部３０は、２片の支持シート２０ａ，２０ｂによって一部のみが表裏から挟み込まれるように積層され、支持シート２０ａ，２０ｂの対向する面に塗布された粘着剤６１によって固定、支持されている。そして、可動部２６を折り線２８を介して折り畳めば接続端子３５が支持シート２０ａ，２０ｂによって表出しない状態となり、また、可動部２６を見開けば接続端子３５が支持シート２０ｂの他の領域から突出した状態で表出する。
【００３４】
また、２枚の表面シート１０ａ，１０ｂのうち、支持シート２０ａの穴２２，２３を介してスイッチ３３ａ，３３ｂ及びＩＣチップ３４と対向する側の表面シート１０ａにおいては、この音声メッセージ伝達シート１を郵送する場合に宛先情報等が印刷される情報表示領域２が設けられている。また、支持シート２０ａの穴２２を介してスイッチ３３ａと対向する領域にはスイッチ３３ａを操作するための再生ボタン３ａを示す印刷が施され、また、支持シート２０ａの穴２２を介してスイッチ３３ｂと対向する領域にはスイッチ３３ｂを操作するための録音ボタン３ｂを示す印刷が施され、また、支持シート２０ａの穴２４ａを介して音声情報入出力部４０と対向する領域には、音声情報入出力部４０を介して音声を入力したり音声情報入出力部４０から出力された音声を外部に出力したりするための微細な開口穴が羅列されてなる音声入出力領域４が形成されている。このように微細な開口穴が羅列されてなる音声入出力領域４が形成されているため、音声情報入出力部４０が表裏を表面シート１０ａ，１０ｂで覆われた状態であっても、音声情報入出力部４０から出力される音量の低下を補うことができる。なお、音声入出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、図１においては、情報表示領域２が音声入出力領域４上に設けられていないが、実際は、表面シート１０ａの全面に再生ボタン３ａ及び録音ボタン３ｂを含めて情報が印刷されることになるため、情報表示領域２が音声入出力領域４上に設けられることも考えられる。また、再生ボタン３ａ及び録音ボタン３ｂにおいては、印刷によって表面シート１０ａ上に設けておかず、表面シート１０ａに情報が印刷された後に、スイッチ３３ａ，３３ｂに対向する領域にそれぞれシールを貼付することによって設けることも考えられる。
【００３５】
以下に、音声情報入出力部４０の構成について詳細に説明する。
【００３６】
図５は、図１に示した音声情報入出力部４０の構成を説明するための図であり、図１に示した音声メッセージ伝達シート１の音声情報入出力部４０周辺の断面図である。
【００３７】
本形態における音声情報入出力部４０は図５に示すように、柔軟性を有し、ＩＣチップ３４に記録された音声情報が出力されるスピーカであるピエゾ素子４１と、柔軟性を有し、ピエゾ素子４１の一方の面に貼付されたフィルムシート４３と、フィルムシート４３に貼付されてピエゾ素子４１の周囲に設けられ、柔軟性を有し、ピエゾ素子４１の振動を増幅させるためのスチレンペーパー等からなる振動板４２とから構成されている。ここで、フィルムシート４３の径は、ピエゾ素子４１の径よりも大きく構成されており、それにより、ピエゾ素子４１をフィルムシート４３に貼付すると、フィルムシート４３のピエゾ素子４１が貼付された面においては、ピエゾ素子４１が貼付されずに露出した領域がピエゾ素子４１周辺に残る。また、振動板４２は、ピエゾ素子４１の径よりも大きく、かつフィルムシート４３の径よりも小さな径の穴を有する構成となっており、それにより、フィルムシート４３のピエゾ素子４１が貼付された面に対して、この穴にピエゾ素子４１が入り込むように振動板４２をフィルムシート４３のみに貼付することができる。そして、この振動板４２は、フィルムシート４３が貼付された面のうちフィルムシート４３が貼付されていない領域のみにて、支持シート２０ｂに塗布された粘着剤６１によって支持シート２０ｂと接着されている。これにより、音声情報入出力部４０が設けられた領域の厚さが厚くなってしまうことがなくなるとともに、音声情報入出力部４０が表面シート１０ａ，１０ｂに接着されずに固定されることになるため、ピエゾ素子４１及び振動板４２の振動が妨げられることがなくなる。
【００３８】
以下に、スイッチ３３ａ，３３ｂ周辺の構造について詳細に説明する。
【００３９】
図６は、図１に示した音声メッセージ伝達シート１のスイッチ３３ａ周辺の断面図である。
【００４０】
図１に示したスイッチ３３ａ，３３ｂは柔軟性を有するものである。また、図６に示すように、スイッチ３３ａ，３３ｂが搭載された領域の支持シート２０ａ，２０ｂにおいては、支持シート２０ａのみがスイッチ３３ａ，３３ｂと対向する領域に穴２２が形成されているため、スイッチ３３ａ，３３ｂ周辺においては、２片の支持シート２０ａ，２０ｂによって音声基板３２が挟み込まれて固定されている一方、音声基板３２のスイッチ３３ａ，３３ｂが搭載された領域においては、支持シート２０ｂ上に音声基板３２が搭載されて支持シート２０ｂに塗布された粘着剤６１によって固定された構成となっている。ここで、スイッチ３３ａ，３３ｂの高さを支持シート２０ａの厚さよりも低いものとすれば、スイッチ３３ａ，３３ｂは、スイッチ３３ａ，３３ｂの高さよりも厚い支持シート２０ａに周辺を囲まれたような状態となり、それにより、外部から不可抗力が加わった場合にスイッチ３３ａ，３３ｂが操作されてしまうことが回避されるようになる。これにより、音声メッセージ伝達シートが、例えば、郵便番号による宛先振り分け装置（郵便区分機）を通過する際等、搬送されている状態にて再生ボタン３ａが押下され、ペーパー電池３１が無駄に消耗してしまったり、録音ボタン３ｂが押下され、ＩＣチップ３４に記録された音声情報が上書きされて消去されてしまったりすることを回避することができるようになる。
【００４１】
以下に、上記のように構成された音声メッセージ伝達シート１の使用方法について説明する。
【００４２】
まず、音声情報入出力部４０を介しての音声情報の記録／再生方法について説明する。
【００４３】
音声メッセージ伝達シート１に音声情報を記録する場合は、表面シート１０ａに印刷された録音ボタン３ｂを押下しながら、伝達したい音声メッセージを音声入出力領域４を介して入力すると、入力された音声メッセージが音声情報入出力部４０を介してＩＣチップ３４に記録される。
【００４４】
その後、表面シート１０ａに印刷された再生ボタン３ａを押下すると、ＩＣチップ３４に記録された音声メッセージが音声情報入出力部４０から音声入出力領域４を介して出力される。
【００４５】
また、その後、再度、表面シート１０ａに印刷された録音ボタン３ｂを押下しながら、伝達したい音声メッセージを音声入出力領域４を介して入力すると、入力された音声メッセージが音声情報入出力部４０を介してＩＣチップ３４に記録され、ＩＣチップ３４に記録された音声メッセージが書き換えられることになる。
【００４６】
次に、接続端子３５を介しての音声情報の入力／出力方法について説明する。
【００４７】
図７は、図１〜図４に示した音声メッセージ伝達シート１における接続端子３５を介しての音声情報の入力／出力方法を説明するための図である。
【００４８】
まず、表面シート１０ａと支持シート２０ａとを剥離する。表面シート１０ａと支持シート２０ａとは、支持シート２０ａに塗布された粘着剤６０ａと表面シート１０ａに塗布された剥離剤５０とによって剥離可能に接着されているため、表面シート１０ａや支持シート２０ａが破壊されることなく剥離される。すると、支持シート２０ａが表出するともに、支持シート２０ｂのうち折り線２８を介して折り畳まれた状態となる可動部２６が表出する（図７（ａ））。なお、この可動部２６においても、可動部２６に塗布された粘着剤６０ｂと表面シート１０ａに塗布された剥離剤５０とによって表面シート１０ａに剥離可能に接着されているため、表面シート１０ａや可動部２６が破壊されることなく剥離される。また、可動部２６は、折り線２８を介して折り畳まれた場合、支持シート２０ａに形成された切り欠き２７に入り込んでいるため、表面の平坦性が確保されている。
【００４９】
この状態において可動部２６を見開くと、外部からＩＣチップ３４に音声情報を入力したり、ＩＣチップ３４に記録された音声情報を外部に出力したりするための接続端子３５が表出する（図７（ｂ））。なお、可動部２６は、粘着剤６１によって音声情報記録／再生部３０と接着されているが、可動部２６の全面に音声情報記録／再生部３０の音声基板３２が接着されているため、可動部２６が折り線２８を介して折り畳まれた場合であっても可動部２６が支持シート２０ｂの他の領域と接着されてしまうことはなく、可動部２６を自在に折り畳みあるいは見開き状態とすることができる。
【００５０】
次に、表面シート１０ａを支持シート２０ａ上に重ね合わせ、支持シート２０ａに塗布された粘着剤６０ａによってこれらを再び接着する（図７（ｃ））。表面シート１０ａと支持シート２０ａとは、支持シート２０ａに塗布された粘着剤６０ａと表面シート１０ａに塗布された剥離剤５０とによって剥離及び再貼着可能に接着されていたため、剥離した後でも再び接着することができる。この状態において、表出した接続端子３５に外部装置（不図示）を接続し、外部装置から接続端子３５を介してＩＣチップ３４に音声情報を入力したり、ＩＣチップ３４に記録された音声情報を接続端子３５を介して外部装置に出力したりすることになる。
【００５１】
その後、表面シート１０ａと支持シート２０ａとを再度剥離して図７（ｂ）に示したような状態とし、さらに、可動部２６を折り線２８を介して折り畳んで図７（ａ）に示したような状態に戻し、表面シート１０ａを支持シート２０ａ上に重ね合わせ、支持シート２０ａに塗布された粘着剤６０ａによってこれらを再び接着する。
【００５２】
上述したように本形態においては、音声情報記録／再生部３０を挟み込んで支持する支持シート２０ｂに、音声情報記録／再生部３０に対して音声情報を入出力するための接続端子３５を支持し、他の領域に対して独立して折り畳み／見開き可能に構成されることにより、見開き状態にて接続端子３５を表出させる可動部２６が設けられているため、接続端子３５を介して音声情報を入力あるいは出力しない場合は、可動部２６を折り畳んでおけば接続端子３５が表出せず、それにより、接続端子３５の劣化や断線あるいは短絡を防止することができ、また、接続端子３５を介して音声情報を入力あるいは出力する場合は、可動部２６を見開くことにより接続端子３５への接続が容易となる。
【００５３】
（第２の実施の形態）
図８は、本発明の音声メッセージ伝達シートの第２の実施の形態を示す図であり、（ａ）は表面から見た図、（ｂ）は内部構造を示す図、（ｃ）は（ａ）に示したＡ−Ａ’断面図である。また、図９は、図８に示した音声メッセージ伝達シート１０１の積層状態を示す図である。また、図１０は、図９に示した支持シート１２０ａ，１２０ｂの構成を示す図であり、（ａ）はその構成を示す図、（ｂ）は図８及び図９に示した音声情報記録／再生部１３０を挟み込む際の状態を示す図である。
【００５４】
本形態は図８及び図９に示すように、音声情報の記録及び再生が可能なシート状の音声情報記録／再生部１３０が、紙基材等の柔軟性を有し、かつ薄型の基材からなり、折り線１２５を介して連接してなる２片の支持シート１２０ａ，１２０ｂに挟まれ、また、音声情報記録／再生部１３０が挟まれた支持シート１２０ａ，１２０ｂが、紙基材等の柔軟性を有し、かつ薄型の基材からなる２枚の表面シート１１０ａ，１１０ｂに挟まれて構成されている。なお、２片の支持シート１２０ａ，１２０ｂ及び音声情報記録／再生部１３０は、支持シート１２０ａ，１２０ｂの対向する面に塗布された粘着剤６１によって互いに接着されており、また、表面シート１１０ａ，１１０ｂと支持シート１２０ａ，１２０ｂとは、支持シート１２０ａ，１２０ｂの表面シート１１０ａ，１１０ｂと対向する面に塗布された粘着剤６０ａ，６０ｂによってそれぞれ互いに接着されている。また、表面シート１１０ａの支持シート１２０ａと対向する面の全面には、シリコン等からなる剥離剤５０が塗布されており、この剥離剤５０と支持シート１２０ａに塗布された粘着剤６０ａとによって、表面シート１１０ａと支持シート１２０ａとが、剥離及び再貼着可能に接着されている。
【００５５】
また、音声情報記録／再生部１３０は、ピエゾ素子４１、振動板４２及び後述するフィルムシートからなりシート状に構成されて音声情報を入出力するための音声情報入出力部４０と、音声情報入出力部４０を介して入力された音声情報が記録されるメモリ領域を具備する薄型のＩＣチップ３４やコンデンサ、抵抗等の回路素子、並びにスイッチ３３ａ，３３ｂが搭載された音声基板１３２と、音声基板１３２に電源を供給するための柔軟性を有してなるペーパー電池３１と、ペーパー電池３１を音声基板１３２に電気的に接続するための電池接続部材３６とから構成されており、さらに、音声基板１３２には、外部からＩＣチップ３４に音声情報を入力したり、ＩＣチップ３４に記録された音声情報を外部に出力したりするための接続端子３５が設けられている。これにより、音声情報記録／再生部１３０は、シート状に構成されている。ここで、音声基板１３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。また、電池接続部材３６は、ペーパー電池３１の正極と負極とに接続されており、音声基板１３２上に設けられたパターン（不図示）上に搭載され、例えば、ボタン形状等の接合手段（不図示）によってこのパターンと接合されることにより、音声基板１３２とペーパー電池３１とを電気的に接続する。
【００５６】
また、支持シート２０ａにおいては、音声情報記録／再生部１３０と積層された場合に、ペーパー電池３１及び電池接続部材３６、スイッチ３３ａ，３３ｂ、ＩＣチップ３４、並びに音声情報入出力部４０と対向する領域に穴１２１ａ，１２２，１２３，１２４ａがそれぞれ形成されており、また、支持シート１２０ｂにおいては、音声情報記録／再生部１３０と積層された場合に、ペーパー電池３１及び電池接続部材３６、並びに音声情報入出力部４０と対向する領域に穴１２１ｂ，１２４ｂがそれぞれ形成されている。
【００５７】
このように、支持シート１２０ａの、ペーパー電池３１及び電池接続部材３６、スイッチ３３ａ，３３ｂ、ＩＣチップ３４、並びに音声情報入出力部４０と対向する領域に穴１２１ａ，１２２，１２３，１２４ａがそれぞれ形成され、また、支持シート１２０ｂの、ペーパー電池３１及び電池接続部材３６、並びに音声情報入出力部４０と対向する領域に穴１２１ｂ，１２４ｂがそれぞれ形成されることにより、ペーパー電池３１及び電池接続部材３６、スイッチ３３ａ，３３ｂ、ＩＣチップ３４、並びに音声情報入出力部４０が設けられている領域と他の領域とで厚さの差が小さくなり、それにより、表面シート１１０ａ，１１０ｂを容易に貼付、剥離することができるとともに、表面シート１１０ａ，１１０ｂの貼付後の平坦性が向上し、表面シート１１０ａ，１１０ｂ上に情報を容易に印刷することができるようになる。
【００５８】
さらに、本形態においては、支持シート１２０ｂに、支持シート１２０ｂと音声情報記録／再生部１３０とが積層された場合に、音声情報記録／再生部１３０の接続端子３５が設けられた部分が搭載されて接着される可動部１２６が設けられている。この可動部１２６は、音声情報記録／再生部１３０の接続端子３５が設けられた部分と接着されることにより、接続端子３５を支持し、支持シート１２０ａと支持シート１２０ｂとの折り線１２５との同一線上を折り線１２８として、支持シート１２０ｂの他の領域に対して独立して折り畳み／見開きが可能に構成されている。この可動部１２６においても、支持シート１２０ｂと音声情報記録／再生部１３０とは粘着剤６１によって接着されているが、可動部１２６の全面に音声情報記録／再生部１３０の音声基板１３２が接着されているため、可動部１２６には粘着剤６１が表出していない。そのため、可動部１２６が折り線１２８を介して折り畳まれた場合であっても可動部１２６が支持シート１２０ｂの他の領域と接着されてしまうことはない。また、支持シート１２０ａには、可動部１２６が折り線１２８を介して折り畳まれた状態で、支持シート１２０ａ，１２０ｂが折り線１２５を介して折り畳まれた場合、並びに、可動部１２６が見開かれた状態で支持シート１２０ａ，１２０ｂが見開かれた場合に可動部１２６が入り込むような切り欠き１２７が形成されている。
【００５９】
図１１は、図８〜図１０に示した支持シート１２０ａ，１２０ｂと音声情報記録／再生部１３０とを積層した状態を示す図であり、（ａ）は支持シート１２０ａと音声情報記録／再生部１３０とを積層した状態を示す図、（ｂ）は支持シート１２０ｂと音声情報記録／再生部１３０とを積層した状態を示す図である。
【００６０】
図１１（ａ）に示すように、支持シート１２０ａのペーパー電池３１及び電池接続部材３６と対向する領域に形成された穴１２１ａはペーパー電池３１及び電池接続部材３６よりも大きく、また、スイッチ３３ａ，３３ｂと対向する領域に形成された穴１２２はスイッチ３３ａ，３３ｂを含むように、また、ＩＣチップ３４と対向する領域に形成された穴１２３はＩＣチップ３４よりも大きく、また、音声情報入出力部４０と対向する領域に形成された穴１２４ａは音声情報入出力部４０よりも大きくなっている。
【００６１】
また、図１１（ｂ）に示すように、支持シート１２０ｂのペーパー電池３１及び電池接続部材３６と対向する領域に形成された穴１２１ｂはペーパー電池３１よりも大きく、また、音声情報入出力部４０と対向する領域に形成された穴１２４ｂは音声情報入出力部４０よりも小さくなっている。また、接続端子３５と対向する領域には上述したように可動部１２６が設けられている。
【００６２】
これにより、音声情報記録／再生部１３０は、２片の支持シート１２０ａ，１２０ｂによって一部のみが表裏から挟み込まれるように積層され、支持シート１２０ａ，１２０ｂの対向する面に塗布された粘着剤６１によって固定、支持されている。そして、可動部１２６を折り線１２８を介して折り畳めば接続端子３５が支持シート１２０ａ，１２０ｂによって表出しない状態となり、また、可動部１２６を見開けば接続端子３５が支持シート１２０ｂの他の領域から突出した状態で表出する。
【００６３】
また、２枚の表面シート１１０ａ，１１０ｂのうち、支持シート１２０ａの穴１２２，１２３を介してスイッチ３３ａ，３３ｂ及びＩＣチップ３４と対向する側の表面シート１１０ａにおいては、この音声メッセージ伝達シート１０１を郵送する場合に宛先情報等が印刷される情報表示領域２が設けられている。また、支持シート１２０ａの穴１２２を介してスイッチ３３ａと対向する領域にはスイッチ３３ａを操作するための再生ボタン３ａを示す印刷が施され、また、支持シート１２０ａの穴１２２を介してスイッチ３３ｂと対向する領域にはスイッチ３３ｂを操作するための録音ボタン３ｂを示す印刷が施され、また、支持シート１２０ａの穴１２４ａを介して音声情報入出力部４０と対向する領域には、音声情報入出力部４０を介して音声を入力したり音声情報入出力部４０から出力された音声を外部に出力したりするための微細な開口穴が羅列されてなる音声入出力領域４が形成されている。また、図８においては、情報表示領域２が音声入出力領域４上に設けられていないが、実際は、表面シート１１０ａの全面に再生ボタン３ａ及び録音ボタン３ｂを含めて情報が印刷されることになるため、情報表示領域２が音声入出力領域４上に設けられることも考えられる。また、再生ボタン３ａ及び録音ボタン３ｂにおいては、印刷によって表面シート１１０ａ上に設けておかず、表面シート１１０ａに情報が印刷された後に、スイッチ３３ａ，３３ｂに対向する領域にそれぞれシールを貼付することによって設けることも考えられる。
【００６４】
以下に、上記のように構成された音声メッセージ伝達シート１０１の使用方法について説明する。
【００６５】
まず、音声情報入出力部４０を介しての音声情報の記録／再生方法について説明する。
【００６６】
音声メッセージ伝達シート１０１に音声情報を記録する場合は、表面シート１１０ａに印刷された録音ボタン３ｂを押下しながら、伝達したい音声メッセージを音声入出力領域４を介して入力すると、入力された音声メッセージが音声情報入出力部４０を介してＩＣチップ３４に記録される。
【００６７】
その後、表面シート１１０ａに印刷された再生ボタン３ａを押下すると、ＩＣチップ３４に記録された音声メッセージが音声情報入出力部４０から音声入出力領域４を介して出力される。
【００６８】
また、その後、再度、表面シート１１０ａに印刷された録音ボタン３ｂを押下しながら、伝達したい音声メッセージを音声入出力領域４を介して入力すると、入力された音声メッセージが音声情報入出力部４０を介してＩＣチップ３４に記録され、ＩＣチップ３４に記録された音声メッセージが書き換えられることになる。
【００６９】
次に、接続端子３５を介しての音声情報の入力／出力方法について説明する。
【００７０】
図１２は、図８〜図１１に示した音声メッセージ伝達シート１０１における接続端子３５を介しての音声情報の入力／出力方法を説明するための図である。
【００７１】
まず、表面シート１１０ａと支持シート１２０ａとを剥離する。表面シート１１０ａと支持シート１２０ａとは、支持シート１２０ａに塗布された粘着剤６０ａと表面シート１１０ａに塗布された剥離剤５０とによって剥離可能に接着されているため、表面シート１１０ａや支持シート１２０ａが破壊されることなく剥離される。すると、支持シート１２０ａが表出するともに、支持シート１２０ｂのうち折り線１２８を介して折り畳まれた状態となる可動部１２６が表出する（図１２（ａ））。なお、この可動部１２６においても、可動部１２６に塗布された粘着剤６０ｂと表面シート１１０ａに塗布された剥離剤５０とによって表面シート１１０ａに剥離可能に接着されているため、表面シート１１０ａや可動部１２６が破壊されることなく剥離される。また、可動部１２６は、折り線１２８を介して折り畳まれた場合、支持シート１２０ａに形成された切り欠き１２７に入り込んでいるため、表面の平坦性が確保されている。
【００７２】
この状態において可動部１２６を見開くと、外部からＩＣチップ３４に音声情報を入力したり、ＩＣチップ３４に記録された音声情報を外部に出力したりするための接続端子３５が表出する（図１２（ｂ））。なお、可動部１２６は、粘着剤６１によって音声情報記録／再生部１３０と接着されているが、可動部１２６の全面に音声情報記録／再生部１３０の音声基板１３２が接着されているため、可動部１２６が折り線１２８を介して折り畳まれた場合であっても可動部１２６が支持シート１２０ｂの他の領域と接着されてしまうことはなく、可動部１２６を自在に折り畳みあるいは見開き状態とすることができる。
【００７３】
次に、表面シート１１０ａを支持シート１２０ａ上に重ね合わせ、支持シート１２０ａに塗布された粘着剤６０ａによってこれらを再び接着する（図１２（ｃ））。表面シート１１０ａと支持シート１２０ａとは、支持シート１２０ａに塗布された粘着剤６０ａと表面シート１１０ａに塗布された剥離剤５０とによって剥離及び再貼着可能に接着されていたため、剥離した後でも再び接着することができる。この状態において、表出した接続端子３５に外部装置（不図示）を接続し、外部装置から接続端子３５を介してＩＣチップ３４に音声情報を入力したり、ＩＣチップ３４に記録された音声情報を接続端子３５を介して外部装置に出力したりすることになる。
【００７４】
その後、表面シート１１０ａと支持シート１２０ａとを再度剥離して図１２（ｂ）に示したような状態とし、さらに、可動部１２６を折り線１２８を介して折り畳んで図１２（ａ）に示したような状態に戻し、表面シート１１０ａを支持シート１２０ａ上に重ね合わせ、支持シート１２０ａに塗布された粘着剤６０ａによってこれらを再び接着する。
【００７５】
上述したように本形態においては、２片の支持シート１２０ａ，１２０ｂの折り線１２５と、可動部１２６の折り線１２８とが同一線上に設けられているため、支持シート１２０ａ，１２０ｂが見開かれた場合に可動部１２６が突出することがなくなり、それにより、音声メッセージ伝達シート１０１の製造時において、製造装置における処理が複雑となることを防止できる。
【００７６】
（第３の実施の形態）
図１３は、本発明の音声メッセージ伝達シートの第３の実施の形態を示す図であり、（ａ）は表面から見た図、（ｂ）は内部構造を示す図、（ｃ）は（ａ）に示したＡ−Ａ’断面図である。また、図１４は、図１３に示した音声メッセージ伝達シート２０１の積層状態を示す図である。また、図１５は、図１３に示した支持シート２２０ａ，２２０ｂの構成を示す図であり、（ａ）はその構成を示す図、（ｂ）は図１３及び図１４に示した音声情報記録／再生部２３０を挟み込む際の状態を示す図である。
【００７７】
本形態は図１３及び図１４に示すように、音声情報の記録及び再生が可能なシート状の音声情報記録／再生部２３０が、紙基材等の柔軟性を有し、かつ薄型の基材からなり、折り線２２５を介して連接してなる２片の支持シート２２０ａ，２２０ｂに挟まれ、また、音声情報記録／再生部２３０が挟まれた支持シート２２０ａ，２２０ｂが、紙基材等の柔軟性を有し、かつ薄型の基材からなる２枚の表面シート２１０ａ，２１０ｂに挟まれて構成されている。なお、２片の支持シート２２０ａ，２２０ｂ及び音声情報記録／再生部２３０は、支持シート２２０ａ，２２０ｂの対向する面に塗布された粘着剤６１によって互いに接着されており、また、表面シート２１０ａ，２１０ｂと支持シート２２０ａ，２２０ｂとは、支持シート２２０ａ，２２０ｂの表面シート２１０ａ，２１０ｂと対向する面に塗布された粘着剤６０ａ，６０ｂによってそれぞれ互いに接着されている。また、表面シート２１０ａの支持シート２２０ａと対向する面の全面には、シリコン等からなる剥離剤５０が塗布されており、この剥離剤５０と支持シート２２０ａに塗布された粘着剤６０ａとによって、表面シート２１０ａと支持シート２２０ａとが、剥離及び再貼着可能に接着されている。
【００７８】
また、音声情報記録／再生部２３０は、ピエゾ素子４１、振動板４２及び後述するフィルムシートからなりシート状に構成されて音声情報を入出力するための音声情報入出力部４０と、音声情報入出力部４０を介して入力された音声情報が記録されるメモリ領域を具備する薄型のＩＣチップ３４やコンデンサ、抵抗等の回路素子、並びに操作部となるスイッチ３３ａ，３３ｂが搭載された音声基板２３２と、音声基板２３２に電源を供給するための柔軟性を有してなるペーパー電池３１と、ペーパー電池３１を音声基板２３２に電気的に接続するための電池接続部材３６とから構成されており、さらに、音声基板２３２には、外部からＩＣチップ３４に音声情報を入力したり、ＩＣチップ３４に記録された音声情報を外部に出力したりするための接続端子３５が設けられている。これにより、音声情報記録／再生部２３０は、シート状に構成されている。ここで、音声基板２３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。また、電池接続部材３６は、ペーパー電池３１の正極と負極とに接続されており、音声基板２３２上に設けられたパターン（不図示）上に搭載され、例えば、ボタン形状等の接合手段（不図示）によってこのパターンと接合されることにより、音声基板２３２とペーパー電池３１とを電気的に接続する。また、音声基板２３２上には、スイッチ３３ａに接続された配線パターン２３６ａとＩＣチップ３４に接続された配線パターン２３７ａとを電気的に導通させるための導通パターン２３８ａと、スイッチ３３ｂに接続された配線パターン２３６ｂとＩＣチップ３４に接続された配線パターン２３７ｂとを電気的に導通させるための導通パターン２３８ｂとが形成されている。
【００７９】
また、支持シート２２０ａにおいては、音声情報記録／再生部２３０と積層された場合に、ペーパー電池３１及び電池接続部材３６、スイッチ３３ａ，３３ｂ、ＩＣチップ３４、並びに音声情報入出力部４０と対向する領域に穴２２１ａ，２２２，２２３，２２４ａがそれぞれ形成されており、また、支持シート２２０ｂにおいては、音声情報記録／再生部２３０と積層された場合に、ペーパー電池３１及び電池接続部材３６、並びに音声情報入出力部４０と対向する領域に穴２２１ｂ，２２４ｂがそれぞれ形成されている。
【００８０】
このように、支持シート２２０ａの、ペーパー電池３１及び電池接続部材３６、スイッチ３３ａ，３３ｂ、ＩＣチップ３４、並びに音声情報入出力部４０と対向する領域に穴２２１ａ，２２２，２２３，２２４ａがそれぞれ形成され、また、支持シート２２０ｂの、ペーパー電池３１及び電池接続部材３６、並びに音声情報入出力部４０と対向する領域に穴２２１ｂ，２２４ｂがそれぞれ形成されることにより、ペーパー電池３１及び電池接続部材３６、スイッチ３３ａ，３３ｂ、ＩＣチップ３４、並びに音声情報入出力部４０が設けられている領域と他の領域とで厚さの差が小さくなり、それにより、表面シート２１０ａ，２１０ｂを容易に貼付、剥離することができるとともに、表面シート２１０ａ，２１０ｂの貼付後の平坦性が向上し、表面シート２１０ａ，２１０ｂ上に情報を容易に印刷することができるようになる。
【００８１】
さらに、本形態においては、支持シート２２０ｂに、支持シート２２０ｂと音声情報記録／再生部２３０とが積層された場合に、音声情報記録／再生部２３０の導通パターン２３８ａ，２３８ｂが設けられた部分が搭載されて接着される可動部２２６が設けられている。この可動部２２６は、音声情報記録／再生部２３０の導通パターン２３８ａ，２３８ｂが設けられた部分と接着されることにより、導通パターン２３８ａ，２３８ｂを支持し、支持シート２２０ａと支持シート２２０ｂとの折り線２２５との同一線上を折り線２２８として、支持シート２２０ｂの他の領域に対して独立して折り畳み／見開きが可能に構成されている。この可動部２２６においても、支持シート２２０ｂと音声情報記録／再生部２３０とは粘着剤６１によって接着されているが、可動部２２６の全面に音声情報記録／再生部２３０の音声基板２３２が接着されているため、可動部２２６には粘着剤６１が表出していない。そのため、可動部２２６が折り線２２８を介して折り畳まれた場合であっても可動部２２６が支持シート２２０ｂの他の領域と接着されてしまうことはない。また、支持シート２２０ａには、可動部２２６が折り線２２８を介して折り畳まれた状態で、支持シート２２０ａ，２２０ｂが折り線２２５を介して折り畳まれた場合、並びに、可動部２２６が見開かれた状態で支持シート２２０ａ，２２０ｂが見開かれた場合に可動部２２６が入り込むような切り欠き２２７が形成されている。
【００８２】
図１６は、図１３〜図１５に示した支持シート２２０ａ，２２０ｂと音声情報記録／再生部２３０とを積層した状態を示す図であり、（ａ）は支持シート２２０ａと音声情報記録／再生部２３０とを積層した状態を示す図、（ｂ）は支持シート２２０ｂと音声情報記録／再生部２３０とを積層した状態を示す図である。
【００８３】
図１６（ａ）に示すように、支持シート２２０ａのペーパー電池３１及び電池接続部材３６と対向する領域に形成された穴２２１ａはペーパー電池３１及び電池接続部材３６よりも大きく、また、スイッチ３３ａ，３３ｂと対向する領域に形成された穴２２２はスイッチ３３ａ，３３ｂを含むように、また、ＩＣチップ３４と対向する領域に形成された穴２２３はＩＣチップ３４よりも大きく、また、音声情報入出力部４０と対向する領域に形成された穴２２４ａは音声情報入出力部４０よりも大きくなっている。
【００８４】
また、図１６（ｂ）に示すように、支持シート２２０ｂのペーパー電池３１及び電池接続部材３６と対向する領域に形成された穴２２１ｂはペーパー電池３１よりも大きく、また、音声情報入出力部４０と対向する領域に形成された穴２２４ｂは音声情報入出力部４０よりも小さくなっている。また、導通パターン２３８ａ，２３８ｂと対向する領域には上述したように可動部２２６が設けられている。
【００８５】
これにより、音声情報記録／再生部２３０は、２片の支持シート２２０ａ，２２０ｂによって一部のみが表裏から挟み込まれるように積層され、支持シート２２０ａ，２２０ｂの対向する面に塗布された粘着剤６１によって固定、支持されている。そして、可動部２２６を折り線２２８を介して折り畳めば、スイッチ３３ａに接続された配線パターン２３６ａとＩＣチップ３４に接続された配線パターン２３７ａとが導通パターン２３８ａによって電気的に導通するとともに、スイッチ３３ｂに接続された配線パターン２３６ｂとＩＣチップ３４に接続された配線パターン２３７ｂとが導通パターン２３８ｂによって電気的に導通し、スイッチ３３ａ，３３ｂが操作されることにより、音声情報が記録されたり出力されたりする。また、可動部２２６を見開いた状態においては、スイッチ３３ａに接続された配線パターン２３６ａとＩＣチップ３４に接続された配線パターン２３７ａとが接続されておらず、また、スイッチ３３ｂに接続された配線パターン２３６ｂとＩＣチップ３４に接続された配線パターン２３７ｂとが接続されていないため、スイッチ３３ａ，３３ｂが操作された場合であっても、音声情報が入力されたり出力されたりすることはない。
【００８６】
また、２枚の表面シート２１０ａ，２１０ｂのうち、支持シート２２０ａの穴２２２，２２３を介してスイッチ３３ａ，３３ｂ及びＩＣチップ３４と対向する側の表面シート２１０ａにおいては、この音声メッセージ伝達シート２０１を郵送する場合に宛先情報等が印刷される情報表示領域２が設けられている。また、支持シート２２０ａの穴２２２を介してスイッチ３３ａと対向する領域にはスイッチ３３ａを操作するための再生ボタン３ａを示す印刷が施され、また、支持シート２２０ａの穴２２２を介してスイッチ３３ｂと対向する領域にはスイッチ３３ｂを操作するための録音ボタン３ｂを示す印刷が施され、また、支持シート２２０ａの穴２２４ａを介して音声情報入出力部４０と対向する領域には、音声情報入出力部４０を介して音声を入力したり音声情報入出力部４０から出力された音声を外部に出力したりするための微細な開口穴が羅列されてなる音声入出力領域４が形成されている。また、図１３においては、情報表示領域２が音声入出力領域４上に設けられていないが、実際は、表面シート２１０ａの全面に再生ボタン３ａ及び録音ボタン３ｂを含めて情報が印刷されることになるため、情報表示領域２が音声入出力領域４上に設けられることも考えられる。また、再生ボタン３ａ及び録音ボタン３ｂにおいては、印刷によって表面シート２１０ａ上に設けておかず、表面シート２１０ａに情報が印刷された後に、スイッチ３３ａ，３３ｂに対向する領域にそれぞれシールを貼付することによって設けることも考えられる。
【００８７】
以下に、上記のように構成された音声メッセージ伝達シート２０１の使用方法について説明する。
【００８８】
図１７は、図１３〜図１６に示した音声メッセージ伝達シート２０１の使用方法を説明するための図である。
【００８９】
まず、支持シート２２０ｂの可動部２２６が折り線２２８を介して折り畳まれ、表面シート２１０ａと支持シート２２０ａとが接着された状態で、表面シート１１０ａに印刷された録音ボタン３ｂを押下しながら、伝達したい音声メッセージを音声入出力領域４を介して入力すると、入力された音声メッセージが音声情報入出力部４０を介してＩＣチップ３４に記録される。ここで、可動部２２６が折り線２２８を介して折り畳まれた状態においては、録音ボタン３ｂを介して操作されるスイッチ３３ｂと接続された配線パターン２３６ｂとＩＣチップ３４と接続された配線パターン２３７ｂとが導通パターン２３８ｂによって電気的に導通しているため、録音ボタン３ｂが押下されると音声情報の記録が有効な状態となる。
【００９０】
次に、この状態で音声メッセージ伝達シート２０１を送付すると、送付途中にて再生ボタン３ａが押下された場合、記録された音声情報が聞かれてしまい、また、送付途中にて録音ボタン３ｂが押下された場合、記録された音声情報が上書きされて消去されてしまうことになる。そこで、まず、表面シート２１０ａと支持シート２２０ａとを剥離する。表面シート２１０ａと支持シート２２０ａとは、支持シート２２０ａに塗布された粘着剤６０ａと表面シート２１０ａに塗布された剥離剤５０とによって剥離可能に接着されているため、表面シート２１０ａや支持シート２２０ａが破壊されることなく剥離される。すると、支持シート２２０ａが表出するともに、支持シート２２０ｂのうち折り線２２８を介して折り畳まれた状態となる可動部２２６が表出する（図１７（ａ））。なお、この可動部２２６においても、可動部２２６に塗布された粘着剤６０ｂと表面シート２１０ａに塗布された剥離剤５０とによって表面シート２１０ａに剥離可能に接着されているため、表面シート２１０ａや可動部２２６が破壊されることなく剥離される。また、可動部２２６は、折り線２２８を介して折り畳まれた場合、支持シート２２０ａに形成された切り欠き２２７に入り込んでいるため、表面の平坦性が確保されている。
【００９１】
この状態において可動部２２６を見開くと、音声情報記録／再生部２３０の可動部２２６によって支持されている領域に形成された導通パターン２３８ａが、スイッチ３３ａに接続された配線パターン２３６ａとＩＣチップ３４に接続された配線パターン２３７ａから離間し、それにより、スイッチ３３ａとＩＣチップ３４とが接続されていない状態となる。また、音声情報記録／再生部２３０の可動部２２６によって支持されている領域に形成された導通パターン２３８ｂが、スイッチ３３ｂに接続された配線パターン２３６ｂとＩＣチップ３４に接続された配線パターン２３７ｂから離間し、それにより、スイッチ３３ｂとＩＣチップ３４とが接続されていない状態となる（図１７（ｂ））。なお、可動部２２６は、粘着剤６１によって音声情報記録／再生部２３０と接着されているが、可動部２２６の全面に音声情報記録／再生部２３０の音声基板２３２が接着されているため、可動部２２６が折り線２２８を介して折り畳まれた場合であっても可動部２２６が支持シート２２０ｂの他の領域と接着されてしまうことはなく、可動部２２６を自在に折り畳みあるいは見開き状態とすることができる。
【００９２】
次に、表面シート２１０ａを支持シート２２０ａ上に重ね合わせ、支持シート２２０ａに塗布された粘着剤６０ａによってこれらを再び接着する（図１７（ｃ））。表面シート２１０ａと支持シート２２０ａとは、支持シート２２０ａに塗布された粘着剤６０ａと表面シート２１０ａに塗布された剥離剤５０とによって剥離及び再貼着可能に接着されていたため、剥離した後でも再び接着することができる。この状態で音声メッセージ伝達シート２０１を送付する。この状態においては、スイッチ３３ａとＩＣチップ３４とが接続されていないため、送付途中において再生ボタン３ａが押下された場合であっても、記録された音声情報が聞かれてしまうことはない。また、スイッチ３３ｂとＩＣチップ３４とが接続されていないため、送付途中において録音ボタン３ｂが押下された場合であっても、記録された音声情報が上書きされて消去されてしまうことはない。
【００９３】
音声メッセージ伝達シート２０１が送付先に送付された後、表面シート２１０ａと支持シート２２０ａとを再度剥離して図１７（ｂ）に示したような状態とし、さらに、可動部２２６を折り線２２８を介して折り畳んで図１７（ａ）に示したような状態に戻し、表面シート２１０ａを支持シート２２０ａ上に重ね合わせ、支持シート２２０ａに塗布された粘着剤６０ａによってこれらを再び接着する。この状態においては、スイッチ３３ａとＩＣチップ３４とが導通パターン２３８ａを介して電気的に接続されているため、再生ボタン３ａを押下すれば、ＩＣチップ３４に記録された音声情報を音声情報入出力部４０を介して出力することができる。また、スイッチ３３ｂとＩＣチップ３４とが導電パターン２３８ｂを介して電気的に接続されているため、録音ボタン３ｂを押下しながら音声情報入出力部４０を介して音声情報を入力すれば、音声情報入出力部４０を介して入力された音声情報をＩＣチップ３４に記録することができる。
【００９４】
図１８は、図１３〜図１６に示した音声メッセージ伝達シート２０１にて可動部２２６の折り畳み状態によるスイッチ３３ａとＩＣチップ３４との接続状態を説明するための図であり、（ａ）は可動部２２６が折り畳まれた場合の接続状態を示す図、（ｂ）は可動部２２６が見開かれた場合の接続状態を示す図である。
【００９５】
可動部２２６が折り畳まれた状態においては、図１８（ａ）に示すように、スイッチ３３ａに接続された配線パターン２３６ａとＩＣチップ３４に接続された配線パターン２３７ａとが導通パターン２３８ａを介して電気的に接続されているため、スイッチ３３ａの操作がＩＣチップ３４に伝達されることになる。そのため、例えば、スイッチ３３ａがペーパー電池３１の正極に接続されており、ＩＣチップ３４の配線パターン２３７ａに接続されたポート端子が電源電位となった場合に、ＩＣチップ３４に記録された音声情報が音声情報入出力部４０を介して出力されるされるような構成となっている場合、可動部２２６が折り畳まれた状態でスイッチ３３ａが操作されると、ＩＣチップ３４の配線パターン２３７ａに接続されたポート端子が電源電位となり、ＩＣチップ３４に記録された音声情報が音声情報入出力部４０を介して出力されることになる。
【００９６】
一方、可動部２２６が見開かれた状態においては、図１８（ｂ）に示すように、スイッチ３３ａに接続された配線パターン２３６ａとＩＣチップ３４に接続された配線パターン２３７ａとが電気的に接続されていないため、スイッチ３３ａの操作がＩＣチップ３４に伝達されることはない。そのため、上述したものと同様に、スイッチ３３ａがペーパー電池３１の正極に接続されており、ＩＣチップ３４の配線パターン２３７ａに接続されたポート端子が電源電位となった場合に、ＩＣチップ３４に記録された音声情報が音声情報入出力部４０を介して出力されるような構成となっている場合、スイッチ３３ａを操作したとしても、ＩＣチップ３４の配線パターン２３７ａに接続されたポート端子はオープン状態となっており、ＩＣチップ３４に記録された音声情報が音声情報入出力部４０を介して出力されることはない。
【００９７】
また、スイッチ３３ｂとＩＣチップ３４との接続状態についても同様に、可動部２２６が折り畳まれた状態においては、スイッチ３３ｂに接続された配線パターン２３６ｂとＩＣチップ３４に接続された配線パターン２３７ｂとが導通パターン２３８ｂを介して電気的に接続されているため、スイッチ３３ｂの操作がＩＣチップ３４に伝達されることになる。そのため、例えば、スイッチ３３ｂがペーパー電池３１の正極に接続されており、ＩＣチップ３４の配線パターン２３７ｂに接続されたポート端子が電源電位となっている間だけ、音声情報入出力部４０を介して入力された音声情報がＩＣチップ３４に記録されるような構成となっている場合、可動部２２６が折り畳まれた状態でスイッチ３３ｂが操作されると、スイッチ３３ｂが操作されている間だけ、ＩＣチップ３４の配線パターン２３７ｂに接続されたポート端子が電源電位となり、その状態にて音声情報入出力部４０を介して音声情報を入力すれば、この音声情報がＩＣチップ３４に記録されることになる。
【００９８】
一方、可動部２２６が見開かれた状態においては、スイッチ３３ｂに接続された配線パターン２３６ｂとＩＣチップ３４に接続された配線パターン２３７ｂとが電気的に接続されていないため、スイッチ３３ｂの操作がＩＣチップ３４に伝達されることはない。そのため、上述したものと同様に、スイッチ３３ｂがペーパー電池３１の正極に接続されており、ＩＣチップ３４の配線パターン２３７ｂに接続されたポート端子が電源電位となっている間だけ、音声情報入出力部４０を介して入力された音声情報がＩＣチップ３４に記録されるような構成となっている場合、スイッチ３３ｂを操作したとしても、ＩＣチップ３４の配線パターン２３７ｂに接続されたポート端子はオープン状態となっており、その状態にて音声情報入出力部４０を介して音声情報を入力しても、この音声情報がＩＣチップ３４に記録されることはない。
【００９９】
上述したように本形態においては、音声情報記録／再生部３０を挟み込んで支持する支持シート２２０ｂに、音声情報記録／再生部３０に対して音声情報の入力あるいは出力を行う場合に操作するスイッチ３３ａ，３３ｂに接続されるための導通パターン２３８ａ，２３８ｂを支持し、他の領域に対して独立して折り畳み／見開き可能に構成されることにより、折り畳み状態においてのみスイッチ３３ａ，３３ｂに対する操作による音声情報の入力あるいは出力を有効とする可動部２２６が設けられているため、スイッチ３３ａ，３３ｂへの操作を無効とするような部材を設ける必要はなく、それにより、基材の機械的強度を弱くすることなく、スイッチ３３ａ，３３ｂの有効／無効を制御することができる。
【０１００】
なお、上述した第２の実施の形態にて示したものと第３の実施の形態にて示したものとを組み合わせて構成すれば、上述したような従来の音声メッセージ伝達シートにおける接続端子３５に関する問題点と、スイッチの操作に関する問題点とを解決することができる。
【図面の簡単な説明】
【０１０１】
【図１】本発明の音声メッセージ伝達シートの第１の実施の形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図２に示した支持シートの構成を示す図であり、（ａ）はその構成を示す図、（ｂ）は図１及び図２に示した音声情報記録／再生部を挟み込む際の状態を示す図である。
【図４】図１〜図３に示した支持シートと音声情報記録／再生部とを積層した状態を示す図である。
【図５】図１に示した音声情報入出力部の構成を説明するための図である。
【図６】図１に示した音声メッセージ伝達シートのスイッチ周辺の断面図である。
【図７】図１〜図４に示した音声メッセージ伝達シートにおける接続端子を介しての音声情報の入力／出力方法を説明するための図である。
【図８】本発明の音声メッセージ伝達シートの第２の実施の形態を示す図であり、（ａ）は表面から見た図、（ｂ）は内部構造を示す図、（ｃ）は（ａ）に示したＡ−Ａ’断面図である。
【図９】図８に示した音声メッセージ伝達シートの積層状態を示す図である。
【図１０】図９に示した支持シートの構成を示す図であり、（ａ）はその構成を示す図、（ｂ）は図８及び図９に示した音声情報記録／再生部を挟み込む際の状態を示す図である。
【図１１】図８〜図１０に示した支持シートと音声情報記録／再生部とを積層した状態を示す図である。
【図１２】図８〜図１１に示した音声メッセージ伝達シートにおける接続端子を介しての音声情報の入力／出力方法を説明するための図である。
【図１３】本発明の音声メッセージ伝達シートの第３の実施の形態を示す図であり、（ａ）は表面から見た図、（ｂ）は内部構造を示す図、（ｃ）は（ａ）に示したＡ−Ａ’断面図である。
【図１４】図１３に示した音声メッセージ伝達シートの積層状態を示す図である。
【図１５】図１３に示した支持シートの構成を示す図であり、（ａ）はその構成を示す図、（ｂ）は図１３及び図１４に示した音声情報記録／再生部を挟み込む際の状態を示す図である。
【図１６】図１３〜図１５に示した支持シートと音声情報記録／再生部２３０とを積層した状態を示す図である。
【図１７】図１３〜図１６に示した音声メッセージ伝達シートの使用方法を説明するための図である。
【図１８】図１３〜図１６に示した音声メッセージ伝達シートにて可動部の折り畳み状態によるスイッチとＩＣチップとの接続状態を説明するための図であり、（ａ）は可動部が折り畳まれた場合の接続状態を示す図、（ｂ）は可動部が見開かれた場合の接続状態を示す図である。
【符号の説明】
【０１０２】
１，１０１，２０１    音声メッセージ伝達シート
２    情報表示領域
３ａ    再生ボタン
３ｂ    録音ボタン
４    音声入出力領域
１０ａ，１０ｂ，１１０ａ，１１０ｂ，２１０ａ，２１０ｂ    表面シート
２０ａ，２０ｂ，１２０ａ，１２０ｂ，２２０ａ，２２０ｂ    支持シート
２１ａ，２１ｂ，２２，２３，２４ａ，２４ｂ，１２１ａ，１２１ｂ，１２２，１２３，１２４ａ，１２４ｂ，２２１ａ，２２１ｂ，２２２，２２３，２２４ａ，２２４ｂ    穴
２５，２８，１２５，１２８，２２５，２２８    折り線
２６，１２６，２２６    可動部
２７，１２７，２２７    切り欠き
３０，１３０，２３０    音声情報記録／再生部
３１    ペーパー電池
３２，１３２，２３２    音声基板
３３ａ，３３ｂ    スイッチ
３４    ＩＣチップ
３５    接続端子
３６    電池接続部材
４０    音声情報入出力部
４１    ピエゾ素子
４２    振動板
４３    フィルムシート
５０，１５０ａ，１５０ｂ    剥離剤
６０ａ，６０ｂ，１６０ａ，１６０ｂ    粘着剤
２３６ａ，２３６ｂ，２３７ａ，２３７ｂ    配線パターン
２３８ａ，２３８ｂ    導通パターン
【図１】
2006175663.tif 000003
【図２】
2006175663.tif 000004
【図３】
2006175663.tif 000005
【図４】
2006175663.tif 000006
【図５】
2006175663.tif 000007
【図６】
2006175663.tif 000008
【図７】
2006175663.tif 000009
【図８】
2006175663.tif 000010
【図９】
2006175663.tif 000011
【図１０】
2006175663.tif 000012
【図１１】
2006175663.tif 000013
【図１２】
2006175663.tif 000014
【図１３】
2006175663.tif 000015
【図１４】
2006175663.tif 000016
【図１５】
2006175663.tif 000017
【図１６】
2006175663.tif 000018
【図１７】
2006175663.tif 000019
【図１８】
2006175663.tif 000020